(57)【特許請求の範囲】
【請求項１】
上下方向に一定距離離隔されるように位置され、内部に蓄電池のポスト端子が挿入される第１結合部１１ａ及び第２結合部１１ｂからなる端子挿入部１１と、
前記端子挿入部１１を構成する第１、第２結合部１１ａ，１１ｂの後端をそれぞれ形成し、幅方向のスロットホールを備える弾性部１２と、
前記弾性部１２に結合され前記端子挿入部１１の直径を調節する締付け部材２０と、
前記端子挿入部１１へ供給される電源を外部へ引き出すことができるように外部に連結される連結部材１５を含む蓄電池用接続端子において、
前記締付け部材２０は、前記弾性部１２の上側に幅方向に配置され、前記第１、第２結合部１１ａ，１１ｂの切開部分から弾性部１２方向に突出された延長部１１ｃが係止されるように一側に折曲部２２が備えられた締付けワッシャ２１と、
前記弾性部１２の下側から前記弾性部１２のスロットホール１２′及び前記締付けワッシャ２１の孔２３を貫通して突出されるボルト部材２５と、
前記締付けワッシャ２１の上側で前記ボルト部材２５に締結され、前記締付けワッシャ２１を幅方向に移動させることにより、前記端子挿入部１１の直径を減少させるナット部材２７を含み、
前記締付けワッシャ２１の孔２３は、前記締付けワッシャ２１の底面では前記弾性部１２のスロットホール１２′と同一直径の小径部２３ａ及びそれより大きい直径の大径部２３ｂが互いに離隔された状態で一つの孔２３の相対する内周部分を形成し、上面に行くほどその直径が増加されるように内側面２３ｃが傾斜されるように形成されることを特徴とする蓄電池用接続端子。
【請求項２】
前記ボルト部材２５は、前記弾性部１２の底面に位置されるベース２５ａと、前記弾性部１２のスロットホール１２′及び前記締付けワッシャ２１の孔２３を貫通するように前記ベース２５ａの中央で突出形成されるボルト柱２５ｂと、前記ボルト柱２５ｂの下側から幅方向両側へ行くほど高さが低くなるように形成される傾斜部２５ｃで構成されることを特徴とする請求項１に記載の蓄電池用接続端子。
【請求項３】
前記ベース２５ａは、前記弾性部１２を挟んで前記締付けワッシャ２１の折曲部２２が配置された側の反対側において上側に折曲げられ、前記締付けワッシャ２１の移動を制限する折曲部２５′を備えることを特徴とする請求項２に記載の蓄電池用接続端子。
【請求項４】
前記ナット部材２７は、前記ボルト部材２５のボルト柱２５ｂに締結され前記締付けワッシャ２１の上面に安着されるワッシャ付きナット２７ａと、前記ワッシャ付きナット２７ａの底面に備えられて前記締付けワッシャ２１の孔２３に挿入され、下側に行くほど直径が減少するテーパー形の傾斜部２７ｂからなることを特徴とする請求項１に記載の蓄電池用接続端子。
【請求項５】
前記連結部材１５に結合され外部への電力引出しのために前記連結部材１５に連結されるコネクションワイヤが設置されるターミナル部材１７を更に含むことを特徴とする請求項１に記載の蓄電池用接続端子。
【請求項６】
前記連結部材１５は、前記弾性部１２の延長線上に位置されることを特徴とする請求項１または請求項５に記載の蓄電池用接続端子。
【請求項７】
前記連結部材１５は、前記端子挿入部１１を中心にして前記弾性部１２に対向される位置に形成されることを特徴とする請求項１または請求項５に記載の蓄電池用接続端子。
【請求項８】
前記第１結合部１１ａの後端を形成する弾性部１２の先端に連結され下方に折曲げられた後、更に弾性部１２の底面側に折曲げられ前記ボルト部材２５の離脱を防止する離脱防止部材１３を含むことを特徴とする請求項７に記載の蓄電池用接続端子。
【発明の詳細な説明】
【技術分野】
【０００１】
本発明は、自動車の蓄電池とコネクションワイヤとを連結させるための蓄電池用接続端子に関するものであって、特に、蓄電池のポスト端子と結合される接続端子の端子挿入部が堅固に結合されるのは勿論、過多な外力に因りポスト端子が損傷を受けないようにした蓄電池用接続端子に関する。
【背景技術】
【０００２】
従来の蓄電池用接続端子は、図１に図示されたように、板形になって中央に一定な大きさに締結孔が備えられた固定板１２０と、前記固定板１２０の中央に備えられた締結孔に垂直する方向に装着される固定部材１３０と、前記固定板１２０の一側に備えられ、一側が開口された円形形状になって蓄電池（図示省略）のポスト端子が挿入される挿入部１４０と、前記挿入部１４０の一側に上／下対称式に形成される締付け部１５０を含む。
【０００３】
前記締付け部１５０は、前／後方に締付け孔を備えて締付けボルト１５１と締付けナット１５２で前記挿入部１４０の直径を調節出来るようにしている。また、前記締付けボルト１５１と締付けナット１５２との間に嵌められて前記挿入部の過多な変形を防止するために中空形の固定筒が備えられることもある。
【０００４】
また、従来の蓄電池用接続端子１００は、直列または並列式に連結され蓄電池から自動車内に電力を供給することができるようになったコネクションワイヤ（図示省略）が設置されるターミナル１７０を含んでいる。前記ターミナル１７０は、一側に前記固定部１３０が挿入される締結孔が備えられ、ワッシャ１３２を介在して固定ナット１３１が固定部材１３０に締結されることにより、固定板１２０に設置されている。しかしながら、前記の従来の蓄電池用接続端子は挿入部１４０の直径を調節するための締付け部材１５０で締付けボルト１５１と締付けナット１５２とを使用することによって設置作業が容易でないという問題点がある。
【０００５】
また、従来の蓄電池用接続端子は締付けボルト１５１と締付けナット１５２とを使用して挿入部１４０の直径を減少させるとき堅固に組み立てるために過多に締め付けるようになる場合が発生され、それに因り蓄電池のポスト端子が損傷され次後利用が難しくなる問題点があった。
【発明の開示】
【発明が解決しようとする課題】
【０００６】
本発明は前記の従来の問題点を解決するために案出されたものであって、蓄電池のポスト端子に結合される端子挿入部を直接締め付ける形態でない締め付けワッシャを通じて間接的に締め付けるようにすることによりポスト端子が損傷されないようにしながらも蓄電池のポスト端子と端子挿入部とが堅固に結合されるようにした蓄電池用接続端子を提供することにその目的がある。
【０００７】
また、本発明はボルトに結合されるナットの垂直移動に従ってボルトに垂直に配置される締め付けワッシャが水平方向に移動されながら端子挿入部の直径を減少させるようにしてポスト端子の損傷を防止できるようにした蓄電池用接続端子を提供することに目的がある。
【０００８】
さらに、本発明はナットの垂直移動に従って水平方向に移動される締め付けワッシャの移動を制限してポスト端子が過多に締め付けられるのを防止できる蓄電池用接続端子を提供することに目的がある。
【課題を解決するための手段】
【０００９】
前記の目的を達成するための本発明の蓄電池用接続端子によれば、上下方向に一定距離離隔されるように位置され、内部に蓄電池のポスト端子が挿入される第１結合部及び第２結合部からなった端子挿入部と、前記端子挿入部とを構成する第１、第２結合部の後端をそれぞれ形成し、幅方向のスロットホールを備える弾性部と、前記弾性部に結合され前記端子挿入部の直径を調節する締付け部材と、前記端子挿入部へ供給される電源を外部に引き出すことができるように外部に連結される連結部材を含む蓄電池用接続端子において、前記締め付け部材は、前記弾性部の上側に幅方向に配置され、前記第１、第２結合部の切開部分から弾性部方向に突出された延長部が係止されるように一側に折曲部が備えられた締め付けワッシャと、前記弾性部の下側から前記弾性部のスロットホール及び前記締め付けワッシャの孔を貫通して突出されるボルト部材と、前記締め付けワッシャの上側で前記ボルト部材に締結され、前記締め付けワッシャを幅方向に移動させ、前記端子挿入部の直径を減少させるナット部材を含み、前記締付けワッシャの孔は、前記締付けワッシャの底面では前記弾性部のスロットホールと同一直径の小径部及びそれより大きい直径の大径部が互いに離隔された状態で一つの孔の相対する内周部分を形成し、上面に行くほどその直径が増加されるように内側面が傾斜されるように形成されることを特徴とする。
【００１１】
また、本発明の蓄電池用接続端子によれば、前記ボルト部材は前記弾性部の底面に位置されるベースと、前記弾性部のスロットホール及び前記締め付けワッシャの孔を貫通するように前記ベースの中央から突出形成されるボルト柱と、前記ボルト柱の下側から幅方向両側に行くほど高さが低くなる傾斜部で構成されることを特徴とする。
【００１２】
また、本発明の蓄電池用接続端子によれば、前記ナット部材は前記ボルト部材のボルト柱に締結され、前記締め付けワッシャの上面に安着されるワッシャ付きナットと、前記ワッシャ付きナットの底面に備えられて前記締め付けワッシャの孔に挿入され、下側に行くほど直径が減少するテーバー形の傾斜部からなることを特徴とする。
【００１３】
また、本発明の蓄電池用接続端子によれば、前記連結部材に結合され外部への電力引き出しのために、前記連結部材に連結されるコネクションワイヤが設置されるターミナル部材をさらに含むことができ、前記連結都材は前記弾性部の延長線上に位置されることを特徴とする。
【００１４】
また、本発明の蓄電池用接続端子によれば、前記連結部材は前記端子挿入部を中心にして前記弾性部に対向される位置に形成され、前記第１結合部の後端を形成する弾性部の先端に連結形成され下方に折り曲げられた後、さらに弾性部の底面側に折り曲げられ前記ボルト部材の離脱を防止する離脱防止部材を含むことを特徴とする。
【発明の効果】
【００１５】
本発明の蓄電池用接続端子によれば、蓄電池のポスト端子に接続端子を結合させる時ボルト部材とナット部材の締結力が直接的に作用しないで間接的に作用するようになり蓄電池のポスト端子が損傷されるのを防止することができる効果がある。
【００１６】
また、本発明の蓄電池用接続端子によれば、ボルト部材とナット部材の締結方向に対して垂直な方向に締め付けワッシャが移動されながら端子挿入部の直径を変化させるようになるので、端子挿入部の急激な直径変化を防止することができ、それに因るポスト端子の損傷を防止することができる効果がある。
【発明を実施するための最良の形態】
【００１７】
以下、添付図面を参照して本発明の蓄電池用接続端子を説明すれば次のとおりである。
【００１８】
図２は、本発明による蓄電池用接続端子が図示された分解斜視図であり、図３ないし図５は、本発明の要部構成である締め付けワッシャとボルト部材及びナット部材がそれぞれ図示された図面である。また、図６は、本発明の蓄電池用接続端子の結合斜視図であり、図７は本発明の蓄電池用接続端子の他の実施例が図示された斜視図である。
【００１９】
本発明による蓄電池用接続端子は、上下方向に一定距離離隔されるように位置され、内部に蓄電池のポスト端子が挿入される第１結合部１１ａ及び第２結合部１１ｂからなる端子挿入部１１と、前記端子挿入部１１を構成する第１、第２結合部１１ａ、１１ｂの後端をそれぞれ形成し、幅方向のスロットホールを備える弾性部１２と、前記弾性部１２に結合され前記端子挿入部１１の直径を調節する締め付け部材２０と、前記端子挿入部１１へ供給される電源を外部へ引き出すことができるように外部に連結される連結部材１５を含む。
【００２０】
ここで、前記締め付け部材２０は前記弾性部１２の上側に幅方向に配置され、前記第１、第２結合部１１ａ、１１ｂの切開部分から弾性部１２方向に突出された延長部１１ｃが係止されるように一側に折曲部２２が備えられた締め付けワッシャ２１と、前記弾性部１２の下側から前記弾性部１２のスロットホール１２′及び前記締め付けワッシャ２１の孔２３を貫通して突出されるボルト部材２５と、前記縮め付けワッシャ２１の上側で前記ボルト部材２５に締結され前記締め付けワッシャ２１を幅方向に移動させることにより、前記端子挿入部１１の直径を減少させるナット部材２７で構成される。
【００２１】
この時、前記締め付けワッシャ２１の孔２３は前記締め付けワッシャ２１の底面では前記弾性部１２のスロットホール１２′と同一直径の小径部２３ａ及びそれより大きい直径の大径部２３ｂが互いに離隔された状態で一つに連結された形態を有し、上面に行くほどその直径が増加するように内側面２３ｃが傾斜されるように形成される。そして、前記ボルト部材２５は前記弾性部１２の底面に位置されるベース２５ａと、前記弾性部１２のスロットホール１２′及び前記締付けワッシャ２１の孔２３を貫通するように前記ベース２５ａの中央で突出形成されるボルト柱２５ｂと、前記ボルト柱２５ｂの下側で幅方向両側に行くほど高さが低くなるように形成される傾斜部２５ｃで構成される。この時、前記ベース２５ａは、図７に示すように、前記弾性部１２を挟んで前記締付けワッシャ２１の折り曲げ部２２が配置された側の反対側において、上側に折り曲げられ前記締付けワッシャ２１の移動を制限する折り曲げ部２５′を備えることができる。
【００２２】
また、前記ナット部材２７は、前記ボルト部材２５のボルト柱２５ｂに締結され、前記締付けワッシャ２１の上面に安着されるワッシャ付きナット２７ａと、前記ワッシャ付きナット２７ａの底面に備えられて前記締付けワッシャ２１の孔２３に挿入され下側に行くほど直径が減少するテーパー形の傾斜部２７ｂからなる。そして、前記連結部材１５には外部への電力引き出しのために前記連結部材１５に連結されるコネクションワイヤが設置されるターミナル部材１７が結合されることができる。
【００２３】
また、前記連結部材１５は前記弾性部１２の延長線上に位置されるが、図７に図示された本発明の他の実施例のように、前記端子挿入部１１を中心にして前記弾性部１２に対向される位置に形成されることもできる。この場合、前記第１結合部１１ａの後端を形成する弾性部１２の先端に連結形成され下方に折り曲げられた後さらに弾性部１２の底面側に折り曲げられ前記ボルト部材２５の離脱を防止する離脱防止部材１３が設置される。
【００２４】
前記のように構成された本発明の蓄電池用接続端子は端子挿入部内に蓄電池のポスト端子が挿入された状態でボルト部材にナット都材を締結して締付けワッシャを幅方向に移動させることを通じて蓄電池のポスト端子に堅固に結合される。弾性部１２の下部からスロットホール１２′を通じてボルト柱２５ｂが突出されるようにボルト部材２５を結合させた状態で、著電池のポスト端子が挿入されるように端子挿入部１１を位置させる。引き続き、前記ボルト柱２５ｂが孔に挿入されるように締付けワッシャ２１を設置するが、締付けワッシャ２１の折り曲げ部２２に端子挿入部１１の延長部１１ｃが係止されるようにする。その後、前記ボルト柱２５ｂにナット部材２７を締結するようになるが、ナット部材２７の下降に従って前記締付けワッシャ２１が幅方向に移動するようになる。従って、前記端子挿入部１１の延長部１１ｃが弾性部１２方向に移動するようになり、端子挿入部１１の直径が減少されながら端子挿入部１１の蓄電池のポスト端子が堅固に結合される。
【００２５】
ここで、前記ボルト柱２５ｂは初期に前記締付けワッシャ２１の孔２３中、小径部２３ａに位置されているが、前記ナット部材２７の下降に従ってワッシャ付きナット２７ａ下部の傾斜部２７ｂが傾斜されるように形成された前記締付けワッシャ２１の孔２３内側面２３ｃに接続されながら締付けワッシャ２１を幅方向に移動させるようになるので、前記ボルト柱２５ｂは前記孔２３の大径部２３ｂに位置するようになる。
【００２６】
このように締付けワッシャ２１の移動によって端子挿入部１１の延長部１１ｃが弾性部１２方向に移動されながら端子挿入部１１の直径を減少させるようになるので、ボルト部材２５とナット部材２７の締結力が直接的に作用せず間接的に作用するようになり蓄電池のポスト端子が損傷されるのを防止することができる。
【００２７】
このように、蓄電池のポスト端子と接続端子とが結合されると蓄電池の電力が連結部材１５に連結されたコネクションワイヤを通じて外部へ引き出すことができるようになる。
【００２８】
以上においては、本発明の好ましき実施例を説明したが、本発明の範囲はこのような特定実施例だけに限定されず、該当分野において通常の知識を有する者ならば本発明の特許請求の範囲内に記載された範疇内で適切に変形が可能である。
【図面の簡単な説明】
【００２９】
【図１】従来の蓄電池用接続端子が図示された分解斜視図。
【図２】本発明による蓄電池用接続端子が図示された分解斜視図。
【図３】本発明の要部構成である締付けワッシャが図示された図面。
【図４】本発明の要部構成であるボルト部材が示された図面。
【図５】本発明の要部構成であるナット部材が図示された図面。
【図６】本発明の蓄電池用接続端子の結合斜視図。
【図７】本発明の蓄電池用接続端子の他の実施例が図示された斜視図。
【符号の説明】
【００３０】
１１  端子挿入部
１１ａ  第１結合部
１１ｂ  第２結合部
１１ｃ  延長部
１２  弾性部
１２′  スロットホール
１５  連結部材
１７  ターミナル部材
２０  締付け部材
２１  締付けワッシャ
２２  折曲部
２３  孔
２５  ボルト部材
２５ｃ  傾斜部
２７  ナット部材
２７ｂ  傾斜部
【図１】
0004733007.tif 000002
【図２】
0004733007.tif 000003
【図３】
0004733007.tif 000004
【図４】
0004733007.tif 000005
【図５】
0004733007.tif 000006
【図６】
0004733007.tif 000007
【図７】
0004733007.tif 000008